(57)【要約】  【課題】汗で衿が汚れるのを防げるスカーフ状布を付け易くしたり、メタボ防止や、お洒落を楽しんだり各機能性を満足できるシャツを実現する。  【解決手段】シャツの首周りや両袖、腹周りの部位に沿ってボタンホール状の穴ｈ…を複数設けておき、ボタンを含む嵌入係止手段を嵌入可能としたので、前記穴を利用していろいろな身飾品や鎖、衣類の付属品などを挿入し取付けできる。前記穴に代えて球状若しくは円盤状のボタン機能体を複数設けておくと、装身も可能となる。前記穴は、ボタン機能体が嵌入される相手側にも設けておくとよい。【選択図】図１
2019085654.tif 000002
【特許請求の範囲】
【請求項１】
シャツの首周り、両袖先端又は腹周りの位置に、ボタンホール状の穴及び／又は球状若しくは円盤状のボタン機能体を複数設けておき、ボタン機能体を穴に嵌入支持可能としたことを特徴とするシャツ。
【請求項２】
前記の首周りの穴に鎖などの細長体を挿通して両端同士を結ぶか又は前記の首周りの前衿の左右両側の前記穴を利用して別体の連結手段の両側を嵌入取付けしたことを特徴とする請求項１記載のシャツ。
【請求項３】
袖に設けた穴に、日焼け防止スリーブの球状若しくは円盤状のボタン機能体を嵌入して取付け可能とし、又は逆に日焼け防止スリーブの穴に袖側の球状若しくは円盤状のボタン機能体を嵌入可能としたことを特徴とする請求項１又は請求項２に記載のシャツ。
【請求項４】
シャツの腹周りの位置に、ボタンホール状の穴及び／又は球状若しくは円盤状のボタン機能体を複数設けておき、前記の穴の複数を利用して紐状又は鎖状の細長体を挿通支持しておき、前記細長体の両端同士が接するように突き合わせ又は重合可能としたことを特徴とする請求項１、請求項２又は請求項３に記載のシャツ。
【請求項５】
帽子の後側に日焼け防止のカバーを垂らしておき、下端に設けたボタン機能体を前記首周りの穴に挿入して連結するか又は逆に前記日焼け防止のカバーの穴に、首周りに設けた球状若しくは円盤状のボタン機能体を嵌入して連結する構成としたことを特徴とする請求項１、請求項２、請求項３又は請求項４に記載のシャツ。
【発明の詳細な説明】
【技術分野】
【０００１】
本発明は、身飾品などを嵌入し係止したり、衣服などの付属品（日焼け防止スリーブのような）を取付ける際にボタン類を嵌入したりするデザインを兼ねたボタンホールを形成したシャツに関し、長袖、半袖の種類を問わない。
【背景技術】
【０００２】
特許文献１に記載のように、シャツの各所にＵ字状の取付け手段を設けておき、いろいろな係止に使用し、デザイン向上にも兼用できる多機能シャツが提案されている。
【先行技術文献】
【特許文献】
【０００３】
特願2016−23463 
【発明の概要】
【発明が解決しようとする課題】
【０００４】
しかしながら、前記特許文献１に記載のＵ字状の取付け手段をシャツの各所に設ける手法では、用途が限られており、利便性の向上は限定的である。
本発明の技術的課題は、このような問題に着目し、実用又は健康とお洒落を兼ね備えたボタンホール付きシャツを実現する。
すなわち本発明は、首周りの汗で衿が汚れたりするのを防止できるスカーフ状布を付け易くしたり、メタボ防止に利用したり、お洒落を楽しんだり各機能性を満足できるシャツを実現する。
【課題を解決するための手段】
【０００５】
請求項１は、シャツの首周り、両袖先端又は腹周りの位置に、ボタンホール状の穴ｈ又は球状若しくは円盤状のボタン機能体Ｂを複数設けておき、ボタン機能体を穴ｈに嵌入支持可能としたことを特徴とするシャツである。すなわち、ボタンホール状の穴ｈに代えて、又は穴ｈと交互に球状若しくは円盤状のボタン機能体Ｂを複数設けてもよい。
【０００６】
請求項２は、前記の首周りの穴ｈに鎖（チェーン）などの紐状体を挿通して両端同士を垂らすか若しくは互いに簡易に結んであるか又は前記の首周りの前衿の左右両側の前記穴を利用して連結手段の両側を取付けたことを特徴とする請求項１記載のシャツである。
【０００７】
請求項３は、袖に設けた前記穴ｈ又は球状若しくは円盤状のボタン機能体Ｂを設けておき、前記穴ｈに日焼け防止スリーブｓ又はカバーのボタン機能体Ｂを嵌入する。逆に前記スリーブｓ又はカバーに穴ｈを設けておき、前記袖の球状若しくは円盤状のボタン機能体Ｂを前記穴ｈに嵌入することもできる。すなわち、前記穴ｈに代えて、又は穴ｈと交互に球状若しくは円盤状のボタン機能体Ｂを設けておくのがよい。
【０００８】
請求項４は、前記腹周りの部位ｂに沿って設けた複数の穴ｈ…に挿通して取付けた紐状又は鎖状の細長体４を有し、腹囲の増減を知り得る構成としたことを特徴とする請求項１、請求項２又は請求項３に記載のシャツである。連鎖状にすると鎖状となり、身飾品を兼ねることができる。細長体４の先端に、目盛りの付いたリボン等を連結して、先端だけ目盛り付きにしておくとよい。
【０００９】
請求項５は、帽子の後部に日焼け防止のカバーを垂らしておき、前記カバーに付属のボタンなどのボタン機能体Ｂを前記首周りの穴ｈ…に挿入して連結するか、又は前記帽子に開けた穴ｈ…に、前記の首周りに設けた球状若しくは円盤状のボタン機能体Ｂを嵌入して連結可能としたことを特徴とする請求項１、請求項２、請求項３又は請求項４に記載のシャツである。
【発明の効果】
【００１０】
請求項１のように、シャツの首周りや両袖、腹周りの部位に沿ってボタンホール状の穴ｈ…を複数設けておき、ボタンを含む嵌入係止手段を嵌入可能としたので、前記穴を利用していろいろな身飾品や鎖、衣類の付属品などを挿入し取付けできる。前記穴に代えて球状若しくは円盤状のボタン機能体Ｂを複数設けておくと、装身も可能となる。前記穴は、ボタン機能体が嵌入される相手側にも設けておくとよい。
【００１１】
請求項２のように、前記の首周りの穴ｈに鎖（チェーン）１などの細長体を挿通して両端11、11同士を結ぶので、首に巻いた衿巻きやスカーフなどを前記結び目12の下に通すと風に吹かれても安定する。また図３のように、前記の首周りの前衿の左右両側の前記穴ｈ・ｈを利用して、細長体１とは別体の連結手段３の両側のボタン機能体31・31やボタン機能体Ｂを嵌入取付けし、連結手段３の下を、首に巻いた衿巻きやスカーフなどを通すと、風に吹かれても安定する。
また、首に巻いた衿巻きやスカーフが防寒や汗拭きとして機能し、しかも衿が汚れるのを防止できる。さらに、連結手段３として装飾性の高い美的な物を用いることでお洒落も可能となる。
【００１２】
請求項３のように、図３に示す袖ｓに設けた穴ｈに、日焼け防止スリーブや腕カバー２のボタンＢを嵌入して取付け可能としたので、スリーブや腕カバー３が安定し、身動きし易くなる。なお逆に、スリーブや腕カバー２に設けた穴ｈ…に、袖ｓに設けた球状若しくは円盤状のボタン機能体Ｂを嵌入して取付けてもよい。従って、穴ｈ…とボタン機能体Ｂとを交互に設けるのが、使い勝手が良く、最も好ましい。
【００１３】
請求項４のように前記腹周りの部位に沿って設けた複数の穴ｈ…に挿通して取付けた紐状又は鎖状の細長体４を有するので、工夫次第で身飾品を選んで自分だけのユニークなお洒落を楽しむことができる。また、図３のように、腹周りに設けた複数の穴ｈ…に紐類や鎖状の細長体４を挿通して腹囲を測り、以後は腹囲の測定を繰り返すだけで、腹囲の変化を知り、メタボの傾向を知り健康管理に役立てることができる。なお、巻尺をシャツに縫い付けておいて、巻尺で腹囲の変化を正確に測定することもできるが、細長体４の先端だけにテープ状の目盛り片を取付けて、腹囲の増減を正確に測定することもできる。
【００１４】
請求項５のように、帽子の後側に日焼け防止のカバー５を垂らしておき、下端に付属のボタンＢを前記首周りの穴ｈ…に挿入して連結することができ、強風が吹いても、帽子が飛ばされることはない。逆に、前記カバー５に穴ｈ…を開けておき、前記の首周りに設けた球状若しくは円盤状のボタン機能体Ｂを前記穴ｈ…に嵌入して連結すると、カバー５が外側に来るので、雨水が中に入って濡れることがない。なお、前記の帽子Ｃや日焼け防止のカバー５及び腕カバーとして、水を弾く材質を用いると、雨に濡れても支障は無く、突然の降雨でも平気である。
【図面の簡単な説明】
【００１５】
【図１】本発明のシャツの基本構成を示す正面図であり、両端の鎖を前に垂らしてある。
【図２】図１の鎖の両端同士を互いに結んだ図である。
【図３】本発明のシャツに腕スリーブを取付け、かつ前首に装飾を兼ねた連結手段を取付け、かつ腹囲測定手段を設けた図である。
【図４】本発明のシャツに帽子を連結した斜視図である。
【発明を実施するための形態】
【００１６】
次に本発明による多機能シャツが実際上どのように具体化されるか実施形態で説明する。図１は、本発明によるシャツＳの実施例で、シャツＳの首周りｎや両袖ｓ・ｓ、腹周りｂの部位に沿ってボタンホール状の穴ｈ…を複数設けておき、ボタンを含む嵌入係止手段Ｂを前記穴ｈ…に嵌入可能とした。なお、図１では、首周りｎの前記穴ｈ…に挿通した鎖１の両端11、11は前に垂らしてある。この両端11、11は垂らすのでなく、図２のように、互いに結んで繋いでもよい。結び方は任意でよいが、解けさえしなければ、簡易な方法がよい。そしてこの結び目12の下に襟巻きやマフラーを通して、襟巻きやマフラーを押さえる。その結果、風が吹いたりしても安定し、吹き飛ばされることはない。
【００１７】
図３は、両袖ｓ・ｓの穴ｈ・ｈにボタンや球状若しくは円盤状のボタン機能体Ｂを嵌入してスリーブ２・２を連結してある。従って、両手が日焼けすることなく、また長袖のシャツと同様に、自由に両手を使える。スリーブ２・２に代えて、風通しの良いカバー状を連結してもよい。
【００１８】
また図３では、首の前で別体の連結手段３を設けている。図２の実施例では鎖１の両端11、11を繋いで一つにし、その下を衿巻やマフラーが通過する構成であるが、繋ぐ代わりに、図３では、別体の連結手段３を取付けてある。すなわち、この連結手段３の左右両側に設けたボタンや球31、31やボタン機能体Ｂを首周りの穴ｈ・ｈに挿通して取付ける。
そして、この連結手段３の下側を襟巻やマフラーが通過する方法で、風が吹いたりしても襟巻やマフラーが吹き飛ばされることはなく、安定する。また連結手段３は、装飾を兼ねた美しい身飾品が適している。
【００１９】
さらに図３では、前記腹周りの部位ｂに沿って設けた複数の穴ｈ…に、紐状又は鎖状の細長体４を挿通して取付けてある。その結果、細長体４の両端同士を突き合わせ、その状態がシャツ着用者の腹囲である。時々この突き合わせ作業を行ない、余長が発生すると、痩せたことになる。逆に突き合わせ不能で間隔ができれば、太ったことになる。従って、細長体４で腹囲をチェックすることにより、メタボで太ったかどうかを確認することで、健康管理できる。細長体４として巻尺を用いると、腹囲の具体的な数値を知ることができる。
【００２０】
新聞記事等の記載によると、肥満は、高血圧や脂肪異常症、糖尿病等につながる。肥満原因は、過食と運動不足だが、睡眠不足が続いても起きる。肥満は生活習慣病につながり、平均寿命を落としているという。なお、腸内細菌のコントロールで肥満防止も可能となりつつあるという。
【００２１】
発明者の住所は与論献奉で知られるので、よろんけんぽうでなく「よろんけんこう」と読ませることで、このシャツを健康管理に利用し、長生きできるように推奨したい。
【００２２】
図４は、本発明のシャツに帽子を連結した例である。このように、帽子Ｃの後部に日焼け防止のカバー５を垂らしておき、付属のボタンや球状若しくは円盤状のボタン機能体Ｂを前記首周りの穴ｈ…に挿入して連結すると、強風が吹いても、帽子Ｃが飛ばされることはない。逆に、前記カバー５に設けた穴ｈ…に、前記首周りの球状若しくは円盤状のボタン機能体Ｂを挿入して連結すると、前記カバー５が外側に位置し雨水が浸入して濡れることはない。なお、カバー５と帽子Ｃとの間もボタンやホックで着脱構造にしてもよい。また、前記の帽子Ｃやスリーブ２、腕カバーとして、水を弾く材質を用いると、雨に濡れても支障は無く、突然の降雨でも平気である。
【産業上の利用可能性】
【００２３】
以上のように、上半身に着るシャツの首周りや両袖、腹周りの部位に沿ってボタンホール状の穴を間欠的に複数設けておき、ボタンを含む挿入係止手段すなわちボタン機能体Ｂを嵌入可能としたので、前記穴を利用していろいろな身飾品や鎖、衣類の付属品などを連結し取付けることで、いろいろな機能が可能となる。
【符号の説明】
【００２４】
Ｓ  シャツ
ｎ  首周り
ｓ  袖
ｂ  腹周り
ｈ  ボタンホール状の穴
１  鎖
11・11  両端
12  結び目
２・２  スリーブ
Ｂ  球状若しくは円盤状のボタン機能体
３  連結手段
31  両側に設けた取付け手段
４  細長体（鎖や紐状体、巻尺など）
Ｃ  帽子
５  日焼け防止のカバー
【図１】
2019085654.tif 000003
【図２】
2019085654.tif 000004
【図３】
2019085654.tif 000005
【図４】
2019085654.tif 000006
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
シャツの首周りの位置に、ボタンホール状の穴を列状に複数設けて、これらの穴に鎖などの細長体を挿通して両端同士を結んでおき、この結び目の下に襟巻きやマフラーを通して、襟巻きやマフラーを押さえることを特徴とするシャツの着用方法。
【請求項２】
前記シャツの腹周りの位置に、ボタンホール状の穴を列状に複数設け、前記の穴の複数を利用して紐状又は鎖状の細長体を挿通支持しておき、
前記細長体の両端同士が接するように突き合わせ又は重合させ若しくは間隔を開けることを特徴とする請求項１に記載のシャツの着用方法。
【請求項３】
前記シャツの腹周りの位置に、ボタンホール状の穴を列状に複数設け、前記の穴の複数を利用して紐状又は鎖状の細長体を挿通支持しておき、
前記細長体の先端だけにテープ状の目盛り片を取付けて、腹囲を測定することを特徴とする請求項１に記載のシャツの着用方法。
【請求項４】
シャツの首周りの位置に、ボタンホール状の穴を列状に複数設けたシャツにおいて、前記シャツの衿の左右両側の前記穴を利用して、連結手段の両側のボタン機能体を嵌入取付けし、前記連結手段の下を、首に巻いた衿巻きやスカーフを通して、襟巻きやスカーフを押さえることを特徴とするシャツの着用方法。
【請求項５】
前記シャツの腹周りの位置に、ボタンホール状の穴を列状に複数設け、前記の穴の複数を利用して紐状又は鎖状の細長体を挿通支持しておき、
前記細長体の両端同士が接するように突き合わせ又は重合させ若しくは間隔を開け、又は前記細長体の先端だけにテープ状の目盛り片を取付けて、腹囲を測定することを特徴とする請求項４に記載のシャツの着用方法。
【手続補正２】
【補正対象書類名】明細書
【補正対象項目名】全文
【補正方法】変更
【補正の内容】
【発明の詳細な説明】
【技術分野】
【０００１】
本発明は、身飾品などを嵌入し係止したり、衣服などの付属品（日焼け防止スリーブのよ
うな）を取付ける際にボタン類を嵌入したりするデザインを兼ねたボタンホールを形成し
たシャツの着用方法に関し、長袖、半袖の種類を問わない。
【背景技術】
【０００２】
特許文献１に記載のように、シャツの各所にＵ字状の取付け手段を設けておき、いろいろ
な係止に使用し、デザイン向上にも兼用できる多機能シャツが提案されている。
【先行技術文献】
【特許文献】
【０００３】
特願2016−23463 
【発明の概要】
【発明が解決しようとする課題】
【０００４】
しかしながら、前記特許文献１に記載のＵ字状の取付け手段をシャツの各所に設ける手
法では、用途が限られており、利便性の向上は限定的である。
本発明の技術的課題は、このような問題に着目し、実用又は健康とお洒落を兼ね備えた
ボタンホール付きシャツの着用方法を実現する。
すなわち本発明は、首周りの汗で衿が汚れたりするのを防止できるスカーフ状布を付け
易くしたり、メタボ防止に利用したり、お洒落を楽しんだり各機能性を満足できるシャツの着用方法を実現する。
【課題を解決するための手段】
【０００５】
請求項１は、シャツの首周りの位置に、ボタンホール状の穴を列状に複数設けておき、これらの穴に鎖などの細長体を挿通して両端同士を結んでおき、この結び目の下に襟巻きやマフラーを通して、襟巻きやマフラーを押さえることを特徴とするシャツの着用方法である。
【０００６】
請求項２は、前記シャツの腹周りの位置に、ボタンホール状の穴を列状に複数設け、前記の穴の複数を利用して紐状又は鎖状の細長体を挿通支持しておき、
前記細長体の両端同士が接するように突き合わせ又は重合させ若しくは間隔を開けることを特徴とする請求項１に記載のシャツの着用方法である。
【０００７】
請求項３は、前記シャツの腹周りの位置に、ボタンホール状の穴を列状に複数設け、前記の穴の複数を利用して紐状又は鎖状の細長体を挿通支持しておき、
前記細長体の先端だけにテープ状の目盛り片を取付けて、腹囲を測定することを特徴とする請求項１に記載のシャツの着用方法である。
【０００８】
請求項４は、シャツの首周りの位置に、ボタンホール状の穴を列状に複数設けたシャツにおいて、前記シャツの衿の左右両側の前記穴を利用して、連結手段の両側のボタン機能体を嵌入取付けし、前記連結手段の下を、首に巻いた衿巻きやスカーフを通して、襟巻きやスカーフを押さえることを特徴とするシャツの着用方法である。
【０００９】
請求項５は、前記シャツの腹周りの位置に、ボタンホール状の穴を列状に複数設け、前記の穴の複数を利用して紐状又は鎖状の細長体を挿通支持しておき、
前記細長体の両端同士が接するように突き合わせ又は重合させ若しくは間隔を開け、又は前記細長体の先端だけにテープ状の目盛り片を取付けて、腹囲を測定することを特徴とする請求項４に記載のシャツの着用方法である。
【発明の効果】
【００１０】
請求項１のように、シャツの首周りの位置に、ボタンホール状の穴を列状に複数設けて、これらの穴に鎖などの細長体を挿通して両端同士を結んでおき、この結び目の下に襟巻きやマフラーを通して、襟巻きやマフラーを押さえるので、風が吹いたりしても安定し、吹き飛ばされることはない。
【００１１】
請求項２のように、前記シャツの腹周りの位置に、ボタンホール状の穴を列状に複数設けて、前記の穴の複数を利用して紐状又は鎖状の細長体を挿通支持しておき、
前記細長体の両端同士が接するように突き合わせるので、その状態がシャツ着用者の腹囲である。時々この突き合わせ作業を行ない、余長が発生すると、痩せたことになる。逆に突き合わせ不能で間隔ができれば、太ったことになる。従って、細長体４で腹囲をチェックすることにより、メタボで太ったかどうかを確認することで、健康管理できる。細長体４として巻尺を用いると、腹囲の具体的な数値を知ることができる。
【００１２】
請求項３のように、前記シャツの腹周りの位置に、ボタンホール状の穴を列状に複数設けて、前記の穴の複数を利用して紐状又は鎖状の細長体を挿通支持しておき、
前記細長体の先端だけにテープ状の目盛り片を取付けて、腹囲を測定するので、腹囲の増減を正確に測定することができる。
【００１３】
請求項４のように、シャツの首周りの位置に、ボタンホール状の穴を列状に複数設けたシャツにおいて、前記シャツの衿の左右両側の前記穴を利用して、連結手段の両側のボタン機能体を嵌入取付けし、前記連結手段の下を、首に巻いた衿巻きやスカーフを通して、襟巻きやスカーフを押さえるので、風が吹いたりしても襟巻やスカーフが吹き飛ばされることはなく、安定する。また、首に巻いた衿巻きやスカーフが防寒や汗拭きとして機能し、しかも衿が汚れるのを防止できる。さらに、連結手段として装飾性の高い美的な物を用いることでお洒落も楽しめる。
【００１４】
請求項５のように、前記シャツの腹周りの位置に、ボタンホール状の穴を列状に複数設けて、前記の穴の複数を利用して紐状又は鎖状の細長体を挿通支持しておき、
前記細長体の両端同士が接するように突き合わせ又は重合させ若しくは間隔を開ける。また前記細長体の先端だけにテープ状の目盛り片を取付けて、腹囲を測定するので、腹囲の増減を正確に測定することができる。
【図面の簡単な説明】
【００１５】
【図１】本発明のシャツの基本構成を示す正面図であり、両端の鎖を前に垂らしてある。
【図２】図１の鎖の両端同士を互いに結んだ図である。
【図３】本発明のシャツに腕スリーブを取付け、かつ前首に装飾を兼ねた連結手段を取付け、かつ腹囲測定手段を設けた図である。
【図４】本発明のシャツに帽子を連結した斜視図である。
【発明を実施するための形態】
【００１６】
次に本発明による多機能シャツが実際上どのように具体化されるか実施形態で説明する。図１は、本発明によるシャツＳの実施例で、シャツＳの首周りｎや両袖ｓ・ｓ、腹周りｂの部位に沿ってボタンホール状の穴ｈ…を複数設けておき、ボタンを含む嵌入係止手段Ｂを前記穴ｈ…に嵌入可能とした。なお、図１では、首周りｎの前記穴ｈ…に挿通した鎖１の両端11、11は前に垂らしてある。この両端11、11は垂らすのでなく、図２のように、互いに結んで繋いでもよい。結び方は任意でよいが、解けさえしなければ、簡易な方法がよい。そしてこの結び目12の下に襟巻きやマフラーを通して、襟巻きやマフラーを押さえる。その結果、風が吹いたりしても安定し、吹き飛ばされることはない。
【００１７】
図３は、両袖ｓ・ｓの穴ｈ・ｈにボタンや球状若しくは円盤状のボタン機能体Ｂを嵌入し
てスリーブ２・２を連結してある。従って、両手が日焼けすることなく、また長袖のシャ
ツと同様に、自由に両手を使える。スリーブ２・２に代えて、風通しの良いカバー状を連
結してもよい。
【００１８】
また図３では、首の前で別体の連結手段３を設けている。図２の実施例では鎖１の両端11
、11を繋いで一つにし、その下を衿巻やマフラーが通過する構成であるが、繋ぐ代わりに
、図３では、別体の連結手段３を取付けてある。すなわち、この連結手段３の左右両側に
設けたボタンや球31、31やボタン機能体Ｂを首周りの穴ｈ・ｈに挿通して取付ける。
そして、この連結手段３の下側を襟巻やマフラーが通過する方法で、風が吹いたりして
も襟巻やマフラーが吹き飛ばされることはなく、安定する。また連結手段３は、装飾を兼
ねた美しい身飾品が適している。
【００１９】
さらに図３では、前記腹周りの部位ｂに沿って設けた複数の穴ｈ…に、紐状又は鎖状の細
長体４を挿通して取付けてある。その結果、細長体４の両端同士を突き合わせ、その状態
がシャツ着用者の腹囲である。時々この突き合わせ作業を行ない、余長が発生すると、痩
せたことになる。逆に突き合わせ不能で間隔ができれば、太ったことになる。従って、細
長体４で腹囲をチェックすることにより、メタボで太ったかどうかを確認することで、健
康管理できる。細長体４として巻尺を用いると、腹囲の具体的な数値を知ることができる
。
【００２０】
新聞記事等の記載によると、肥満は、高血圧や脂肪異常症、糖尿病等につながる。肥満原
因は、過食と運動不足だが、睡眠不足が続いても起きる。肥満は生活習慣病につながり、
平均寿命を落としているという。なお、腸内細菌のコントロールで肥満防止も可能となり
つつあるという。
【００２１】
発明者の住所は与論献奉で知られるので、よろんけんぽうでなく「よろんけんこう」と読
ませることで、このシャツを健康管理に利用し、長生きできるように推奨したい。
【００２２】
図４は、本発明のシャツに帽子を連結した例である。このように、帽子Ｃの後部に日焼け
防止のカバー５を垂らしておき、付属のボタンや球状若しくは円盤状のボタン機能体Ｂを
前記首周りの穴ｈ…に挿入して連結すると、強風が吹いても、帽子Ｃが飛ばされることは
ない。逆に、前記カバー５に設けた穴ｈ…に、前記首周りの球状若しくは円盤状のボタン
機能体Ｂを挿入して連結すると、前記カバー５が外側に位置し雨水が浸入して濡れること
はない。なお、カバー５と帽子Ｃとの間もボタンやホックで着脱構造にしてもよい。また
、前記の帽子Ｃやスリーブ２、腕カバーとして、水を弾く材質を用いると、雨に濡れても
支障は無く、突然の降雨でも平気である。
【産業上の利用可能性】
【００２３】
以上のように、上半身に着るシャツの首周りや両袖、腹周りの部位に沿ってボタンホール
状の穴を間欠的に複数設けておき、ボタンを含む挿入係止手段すなわちボタン機能体Ｂを
嵌入可能としたので、前記穴を利用していろいろな身飾品や鎖、衣類の付属品などを連結
し取付けることで、いろいろな機能が可能となる。
【符号の説明】
【００２４】
Ｓ  シャツ
ｎ  首周り
ｓ  袖
ｂ  腹周り
ｈ  ボタンホール状の穴
１  鎖
11・11  両端
12  結び目
２・２  スリーブ
Ｂ  球状若しくは円盤状のボタン機能体
３  連結手段
31  両側に設けた取付け手段
４  細長体（鎖や紐状体、巻尺など）
Ｃ  帽子
５  日焼け防止のカバー